(57)【特許請求の範囲】
【請求項１】
文字情報と映像とが再生時刻を介して互いに関連付けられている構造の動画コンテンツを再生することによって、当該文字情報および映像を表示装置に表示するコンテンツ再生装置であって、
上記文字情報から所定のキーワードを抽出する抽出手段と、
上記抽出されたキーワードに基づき、上記動画コンテンツに関連する関連情報を取得する取得手段と、
上記取得された関連情報を上記表示装置に表示する表示手段とを備え、
上記関連情報を表示しているとき、上記動画コンテンツの表示速度を遅くすることを特徴とするコンテンツ再生装置。
【請求項２】
上記抽出されたキーワードを上記表示装置に表示する表示手段と、
上記表示されたキーワードのユーザによる選択操作を受け付ける操作入力手段とをさらに備え、
上記取得手段は、上記ユーザによって選択されたキーワードに基づき、上記関連情報を取得することを特徴とする請求項１に記載のコンテンツ再生装置。
【請求項３】
上記表示手段は、上記キーワードを、上記文字情報に含まれる他の文字列と異ならせて表示することを特徴とする請求項２に記載のコンテンツ再生装置。
【請求項４】
上記抽出手段は、上記文字情報中の特定文字によって囲まれた文字列を上記キーワードとして抽出することを特徴とする請求項１〜３のいずれかに記載のコンテンツ再生装置。
【請求項５】
上記動画コンテンツにおける上記文字情報の格納領域とは異なる特定領域に、上記特定文字が定義されており、
上記抽出手段は、上記文字情報中の、上記特定領域において定義されている上記特定文字によって囲まれた文字列を上記キーワードとして抽出することを特徴とする請求項４に記載のコンテンツ再生装置。
【請求項６】
文字情報と映像とが再生時刻を介して互いに関連付けられている構造の動画コンテンツを再生することによって、当該文字情報および映像を表示装置に表示するコンテンツ再生方法であって、
上記文字情報から所定のキーワードを抽出する抽出ステップと、
上記抽出されたキーワードに基づき、上記動画コンテンツに関連する関連情報を取得する取得ステップと、
上記取得された関連情報を上記表示装置に表示する表示ステップとを備え、
上記関連情報を表示しているとき、上記動画コンテンツの表示速度を遅くすることを特徴とするコンテンツ再生方法。
【請求項７】
文字情報と映像とが再生時刻を介して互いに関連付けられている構造の動画コンテンツを再生することによって、当該文字情報および映像を表示装置に表示するコンテンツ再生装置と、
上記コンテンツ再生装置と通信する端末装置とを備えたコンテンツ再生システムであって、
上記コンテンツ再生装置は、
上記文字情報から所定のキーワードを抽出する抽出手段と、
上記抽出されたキーワードに基づき、上記動画コンテンツに関連する関連情報を取得する取得手段と、
上記取得された関連情報を上記表示装置に表示する表示手段と、
上記抽出されたキーワードを上記端末装置に送信する送信手段とを備え、
上記端末装置は、
上記送信されたキーワードを受信する受信手段と、
上記受信されたキーワードを表示装置に表示するキーワード表示手段とを備え、
上記コンテンツ再生装置は、上記関連情報を表示しているとき、上記動画コンテンツの表示速度を遅くすることを特徴とするコンテンツ再生システム。
【請求項８】
文字情報と映像とが再生時刻を介して互いに関連付けられている構造の動画コンテンツを再生することによって、当該文字情報および映像を表示装置に表示するコンテンツ再生装置と、
上記コンテンツ再生装置と通信する端末装置とを備えたコンテンツ再生システムであって、
上記コンテンツ再生装置は、
上記動画コンテンツに含まれている文字情報を、上記端末装置に送信する送信手段をさらに備え、
上記端末装置は、
上記送信された上記文字情報を受信する受信手段と
上記受信された文字情報から、所定のキーワードを抽出する抽出手段と、
上記抽出されたキーワードに基づき、上記動画コンテンツに関連する関連情報を取得する取得手段と、
上記取得された関連情報を表示装置に表示する表示手段とをさらに備え、
上記コンテンツ再生装置は、上記関連情報を表示しているとき、上記動画コンテンツの表示速度を遅くすることを特徴とするコンテンツ再生システム。
【請求項９】
文字情報と映像とが再生時刻を介して互いに関連付けられている構造の動画コンテンツを再生することによって、当該映像を表示装置に表示するコンテンツ再生装置と、
上記コンテンツ再生装置と通信する端末装置とを備えたコンテンツ再生システムであって、
上記コンテンツ再生装置は、
上記動画コンテンツに含まれている文字情報を、上記端末装置に送信する送信手段をさらに備え、
上記端末装置は、
上記送信された上記文字情報を受信する受信手段と
上記受信された文字情報を表示装置に表示する文字情報表示手段と、
上記受信された文字情報から、所定のキーワードを抽出する抽出手段と、
上記抽出されたキーワードに基づき、上記動画コンテンツに関連する関連情報を取得する取得手段と、
上記取得された関連情報を上記表示装置に表示する表示手段とをさらに備え、
上記コンテンツ再生装置は、上記関連情報を表示しているとき、上記動画コンテンツの表示速度を遅くすることを特徴とするコンテンツ再生システム。
【請求項１０】
請求項１から５のいずれか１項に記載のコンテンツ再生装置を動作させるプログラムであって、コンピュータを上記の各手段として機能させるためのプログラム。
【請求項１１】
請求項１０に記載のプログラムを記録しているコンピュータ読み取り可能な記録媒体。
【発明の詳細な説明】
【技術分野】
【０００１】
本発明は、文字情報と映像とが再生時刻を介して互いに関連付けられている構造の動画コンテンツを再生するコンテンツ再生装置、コンテンツ再生方法、コンテンツ再生システム、プログラム、および記録媒体に関する。
【背景技術】
【０００２】
従来、放送番組とインターネットとを連動させる新たな広告手法が提案されている。たとえば、テレビ番組のコマーシャル（ＣＭ）を放映する際、映像全編を見せずに「続きはウェブで」などと表示し、このとき検索用のキーワードを同時に表示する。これらの表示を確認した視聴者は、続きに興味を持った場合、インターネットの検索サイトにアクセスし、表示されたキーワードを入力して目的のウェブサイトを検索する。そして、検索したウェブサイトにアクセスし、ＣＭの続きとなるウェブページを閲覧する。このようにして、ＣＭのスポンサーは、自社のウェブサイトにテレビの視聴者を誘導させる。
【０００３】
また、放送番組とインターネットとを連動させる他の技術も提案されている。その一例として、特許文献１には次の技術が開示されている；
「ネットワーク接続手段と、映像信号手段と、映像信号生成手段と、前記映像信号生成手段から入力された映像からネットワークアドレス情報を抽出する文字列抽出認識手段と、前記ネットワークアドレス情報を解析し接続するネットワークを選択しアクセスするネットワークアクセス手段とを有することを特徴とするネットワーク接続装置」。
【０００４】
この装置によれば、利用者は、放送で利用されたＵＲＬを容易に見ることができる。
【特許文献１】特開平１０−１４５６８７（公開日：平成１０年５月２９日）
【発明の開示】
【発明が解決しようとする課題】
【０００５】
しかし、従来の技術では、ＣＭの視聴者が続きのウェブサイトにアクセスするためには、自らキーワードを入力する必要がある。つまり視聴者に面倒な操作を強いてしまうので、続きの（目的の）ウェブサイトにうまく誘導できない問題が生ずる。
【０００６】
一方、特許文献１の技術ではＵＲＬを画面に表示してしまうので、表示される文字情報に視聴者は違和感を覚えてしまう。
【０００７】
本発明は、上記の問題点に鑑みてなされたものであり、その目的は、視聴者に面倒な操作を強いることなく、動画コンテンツに関連する関連情報を表示するコンテンツ再生装置、コンテンツ再生システム、プログラム、および記録媒体を提供することにある。
【課題を解決するための手段】
【０００８】
（コンテンツ再生装置）
本発明に係るコンテンツ再生装置は、上記の課題を解決するために、
文字情報と映像とが再生時刻を介して互いに関連付けられている構造の動画コンテンツを再生することによって、当該文字情報および映像を表示装置に表示するコンテンツ再生装置であって、
上記文字情報から所定のキーワードを抽出する抽出手段と、
上記抽出されたキーワードに基づき、上記動画コンテンツに関連する関連情報を取得する取得手段と、
上記取得された関連情報を上記表示装置に表示する表示手段とを備えていることを特徴としている。
【０００９】
上記の構成によれば、コンテンツ表示装置は、動画コンテンツを再生することによって、動画コンテンツに含まれる文字情報および映像を表示装置に表示する。動画コンテンツはたとえば番組であり、この場合の文字情報は字幕である。
【００１０】
コンテンツ再生装置は、文字情報および映像に加え、動画コンテンツに関連する関連情報も表示装置に表示する。関連情報はたとえばウェブページである。動画コンテンツが番組なら、関連情報は番組のコマーシャルを提供するスポンサーのウェブページである。
【００１１】
コンテンツ再生装置は、文字情報から所定のキーワードを抽出し、抽出したキーワードに基づき関連情報を取得する。すなわち、ユーザにキーワードの入力を求めることはない。そのため、ユーザは関連情報取得用のキーワードを入力することなく、関連情報を手軽に閲覧する。
【００１２】
以上のように、コンテンツ再生装置は、視聴者に面倒な操作を強いることなく、動画コンテンツに関連する関連情報を表示できる効果を奏する。
【００１３】
（コンテンツ再生方法）
本発明に係るコンテンツ再生方法は、上記の課題を解決するために、
文字情報と映像とが再生時刻を介して互いに関連付けられている構造の動画コンテンツを再生することによって、当該文字情報および映像を表示装置に表示するコンテンツ再生方法であって、
上記文字情報から所定のキーワードを抽出する抽出ステップと、
上記抽出されたキーワードに基づき、上記動画コンテンツに関連する関連情報を取得する取得ステップと、
上記取得された関連情報を上記表示装置に表示する表示ステップとを備えていることを特徴としている。
【００１４】
上記の構成によれば、本発明に係るコンテンツ再生装置と同様の作用効果を奏する。
【００１５】
（キーワードの表示および選択）
また、本発明に係るコンテンツ再生装置では、さらに、
上記抽出されたキーワードを上記表示装置に表示する表示手段と、
上記表示されたキーワードのユーザによる選択操作を受け付ける操作入力手段とをさらに備え、
上記取得手段は、上記ユーザによって選択されたキーワードに基づき、上記関連情報を取得することが好ましい。
【００１６】
上記の構成によれば、ユーザは、自ら選択したキーワードに基づき取得される関連情報を、動画コンテンツの視聴中に閲覧する。したがって、ユーザの関連情報への閲覧意欲をより高められる。
【００１７】
（キーワードの識別表示）
また、本発明に係るコンテンツ再生装置では、さらに、
上記キーワード表示手段は、上記キーワードを、上記文字情報に含まれる他の文字列と異ならせて表示することが好ましい。
【００１８】
上記の構成によれば、コンテンツ再生装置は、キーワードの周りに枠を表示したり、あるいはキーワードを点滅表示させるなどして、キーワードをより目立たせるようにする。これにより、ユーザによるキーワードの選択をより促すことができる。
【００１９】
（キーワードの抽出処理）
また、本発明に係るコンテンツ再生装置では、さらに、
上記抽出手段は、上記文字情報中の特定文字によって囲まれた文字列を上記キーワードとして抽出することが好ましい。
【００２０】
上記の構成によれば、コンテンツ再生装置は、キーワードを文字情報から容易に抽出できる。
【００２１】
（特定文字の定義）
また、本発明に係るコンテンツ再生装置では、さらに、
上記動画コンテンツにおける上記文字情報の格納領域とは異なる特定領域に、上記特定文字が定義されており、
上記抽出手段は、上記文字情報中の、上記特定領域において定義されている上記特定文字によって囲まれた文字列を上記キーワードとして抽出することが好ましい。
【００２２】
上記の構成によれば、コンテンツ再生装置は、文字情報からキーワードを抽出する際の基準を、動画コンテンツ内から容易に把握できる。
【００２３】
（コンテンツ再生システム：その１）
本発明に係るコンテンツ再生システムは、上記の課題を解決するために、
文字情報と映像とが再生時刻を介して互いに関連付けられている構造の動画コンテンツを再生することによって、当該文字情報および映像を表示装置に表示するコンテンツ再生装置と、
上記コンテンツ再生装置と通信する端末装置とを備えたコンテンツ再生システムであって、
上記コンテンツ再生装置は、
上記文字情報から所定のキーワードを抽出する抽出手段と、
上記抽出されたキーワードに基づき、上記動画コンテンツに関連する関連情報を取得する取得手段と、
上記取得された関連情報を上記表示装置に表示する表示手段と、
上記抽出されたキーワードを上記端末装置に送信する送信手段とを備え、
上記端末装置は、
上記送信されたキーワードを受信する受信手段と、
上記受信されたキーワードを表示装置に表示するキーワード表示手段とを備えていることを特徴としている。
【００２４】
上記の構成によれば、視聴者に面倒な操作を強いることなく、動画コンテンツに関連する関連情報を表示できる効果を奏する。
【００２５】
（コンテンツ再生システム：その２）
本発明に係るコンテンツ再生システムは、上記の課題を解決するために、
文字情報と映像とが再生時刻を介して互いに関連付けられている構造の動画コンテンツを再生することによって、当該文字情報および映像を表示装置に表示するコンテンツ再生装置と、
上記コンテンツ再生装置と通信する端末装置とを備えたコンテンツ再生システムであって、
上記コンテンツ再生装置は、
上記動画コンテンツに含まれている文字情報を、上記端末装置に送信する送信手段をさらに備え、
上記端末装置は、
上記送信された上記文字情報を受信する受信手段と、
上記受信された文字情報から、所定のキーワードを抽出する抽出手段と、
上記抽出されたキーワードに基づき、上記動画コンテンツに関連する関連情報を取得する取得手段と、
上記取得された関連情報を表示装置に表示する表示手段とをさらに備えていることを特徴としている。
【００２６】
上記の構成によれば、視聴者に面倒な操作を強いることなく、動画コンテンツに関連する関連情報を表示できる効果を奏する。
【００２７】
（コンテンツ再生システム：その３）
本発明に係るコンテンツ再生システムは、上記の課題を解決するために、
文字情報と映像とが再生時刻を介して互いに関連付けられている構造の動画コンテンツを再生することによって、当該映像を表示装置に表示するコンテンツ再生装置と、
上記コンテンツ再生装置と通信する端末装置とを備えたコンテンツ再生システムであって、
上記コンテンツ再生装置は、
上記動画コンテンツに含まれている文字情報を、上記端末装置に送信する送信手段をさらに備え、
上記端末装置は、
上記送信された上記文字情報を受信する受信手段と、
上記受信された文字情報を表示装置に表示する文字情報表示手段と、
上記受信された文字情報から、所定のキーワードを抽出する抽出手段と、
上記抽出されたキーワードに基づき、上記動画コンテンツに関連する関連情報を取得する取得手段と、
上記取得された関連情報を上記表示装置に表示する表示手段とをさらに備えていることを特徴としている。
【００２８】
上記の構成によれば、視聴者に面倒な操作を強いることなく、動画コンテンツに関連する関連情報を表示できる効果を奏する。
【００２９】
（プログラム、記録媒体）
なお、上記コンテンツ再生装置は、コンピュータによって実現してもよい。この場合、コンピュータを上記各手段として動作させることにより上記コンテンツ表示装置をコンピュータにおいて実現するプログラム、およびそのプログラムを記録したコンピュータ読み取り可能な記録媒体も、本発明の範疇に入る。
【発明の効果】
【００３０】
以上のように、本発明に係るコンテンツ配信装置は、視聴者に面倒な操作を強いることなく、動画コンテンツに関連する関連情報を表示できる効果を奏する。
【発明を実施するための最良の形態】
【００３１】
〔実施形態１〕
（コンテンツ再生システム１００）
図２は、本発明の一実施形態に係るコンテンツ再生システム１００の要部構成を示すブロック図である。この図に示すようにコンテンツ再生システム１００は、コンテンツ再生装置１、放送局２、リンクサーバ３、およびスポンササーバ４によって構成されている。
【００３２】
（コンテンツ再生装置１）
図１は、本発明の一実施形態に係るコンテンツ再生装置１の要部構成を示すブロック図である。この図に示すように、コンテンツ再生装置１は、表示装置１０、表示部１１、字幕表示部１２、映像表示部１３、関連情報表示部１４、放送受信部１５、通信部１６、キーワード抽出部１７、リンク取得部１８、関連情報取得部１９、操作入力部２０、コンテンツデータベース２１、およびユーザデータベース２２を備えている。これらの部材がどのような機能を有するのかについては、以下に詳述する。
【００３３】
（リンクサーバ３）
本実施形態に係るリンクサーバ３について、図３を参照にして以下に説明する。図３は、本発明の一実施形態に係るリンクサーバ３の要部構成を示すブロック図である。この図に示すように、リンクサーバ３は、通信部３１、リンク取得部３２、リンクテーブル３３、および履歴データベース３４を備えている。これらの部材がどのような機能を有するのかについては、以下に詳述する。
【００３４】
（動画コンテンツの再生）
コンテンツ再生装置１は、字幕と映像とが再生時刻を介して互いに関連付けられている構造の動画コンテンツを再生する。つまり動画コンテンツ内には、複数の字幕と、動画を構成する複数の映像とが含まれている。各映像のうち少なくとも一部には、その再生時刻を介して、字幕が関連付けられている。字幕はテキスト情報である。必ずしもすべての映像に字幕が関連付けられているわけではなく、動画コンテンツ内には字幕のない映像も存在する。
【００３５】
本実施形態では、放送局２が動画コンテンツをコンテンツ再生装置１に放送する。コンテンツ再生装置１は、受信した動画コンテンツをリアルタイム再生する。このとき字幕表示部３が動画コンテンツ内の字幕を表示装置５に表示し、一方、映像表示部４が動画コンテンツ内の映像を表示装置５に表示する。コンテンツ再生装置１は、受信した動画コンテンツをコンテンツデータベース２１に録画してもよい。また、コンテンツ再生装置１が再生する動画コンテンツは、あらかじめコンテンツデータベース２１に記憶（録画、保存）されていてもよい。
【００３６】
（表示画面の一例）
図４は、動画コンテンツの再生時にコンテンツ再生装置１が表示装置１０に表示する画面５０を表す図である。画面５０は、動画５１、字幕５２、キーワード５３、および関連情報５４を含んでいる。キーワード５３は、ある特定条件が成立する場合に字幕５２から抽出する特定の文字列のことである。関連情報５４は、キーワード５３を基に取得され、動画コンテンツに関連する他のコンテンツのことである。本実施形態では関連情報５４はウェブページである。
【００３７】
コンテンツ再生装置１ｂは、動画５１および字幕５２に加え、字幕５２に含まれるキーワード５３、およびキーワード５３を元に取得される関連情報５４も、表示装置１０に表示する。このときユーザにキーワード５３の入力を求めないことに本発明の利点がある。詳しくは図５以降を参照して次に説明する。
【００３８】
（動画コンテンツの再生）
図５は、コンテンツ再生装置１が動画コンテンツを再生するときにおける処理の流れを表すフローチャートである。図６は、コンテンツ再生装置１が表示装置１０に表示する画面５０ａを表す図である。
【００３９】
まず、コンテンツ再生装置１は動画コンテンツを再生する（ステップＳ１）。再生対象の動画コンテンツは放送局２から受信したものでもよく、または、コンテンツデータベース２１にあらかじめ記憶されているものでもよい。動画コンテンツの再生時、映像表示部１２が、動画コンテンツに含まれている複数の映像を、再生時刻順に画面５０ａの左上に表示する。これにより動画５１を表示装置１０に表示する。また、字幕表示部１１が、再生対象の映像に関連付けられている字幕５２を動画コンテンツから読み出し、画面５０ａの左下に表示する。こうしてユーザは、動画５１を視聴しつつ字幕５２を閲覧する。すなわち動画５１を見ながら字幕５２を読む。
【００４０】
動画コンテンツの再生中に、キーワード抽出部１７は字幕５２を解析する（ステップＳ２）。具体的には、字幕５２の中に所定の特定キーワードが含まれるか否を判定する。（ステップＳ３）。特定キーワードについては後述する。ステップＳ３における判定の結果が「真」であるとき（ＹＥＳ）、キーワード抽出部１７は字幕５２から当該特定キーワードを抽出し表示部１１に出力する。なお、ステップＳ３における判定の結果が「偽」であるとき（ＮＯ）、処理はステップＳ１に戻る。すなわちコンテンツ再生装置１は動画コンテンツの再生（映像および字幕の表示）を先に進める。
【００４１】
（キーワードの抽出）
ステップＳ２および３の処理をもう少し詳しく説明する。キーワード抽出部１７は、字幕５２において特定の識別記号に囲まれた部分を、特定キーワードとして抽出する。この識別記号は動画コンテンツ内の特定領域に定義されている。特定領域には、所定のマジックワードも定義されている。特定領域として、字幕の外字領域（ＤＲＣＳ）、ＰＥＳ、およびＲＴＰがある。識別記号およびマジックワードは、これらのいずれかに保存されていればよい。本実施形態ではＤＲＣＳに保存されている。
【００４２】
以下では、動画コンテンツ内のＤＲＣＳに、マジックワードとして「ＣＭ」が、識別記号として”〔”および”〕”が定義されているとする。キーワード抽出部１７は、動画コンテンツのＤＲＣＳからマジックワードおよび識別記号を読み出す。図６の字幕５２には「ＣＭ」という用語を含む行がある。そこでキーワード抽出部１７は、字幕５２とマジックワードとを照らし合わせることによって、この行にキーワードが含まれているとまず判断する。次に、「ＣＭ」を含む行において識別記号”〔”および識別記号”〕”に囲まれている「シャープに答えて！」という文字列を、特定キーワードとして抽出する。キーワード抽出部１７は抽出結果を字幕表示部１１に出力する。また、キーワード抽出部１７は抽出したキーワードを表示部１１に出力する。
【００４３】
マジックワードとしての「ＣＭ」は一例にすぎない。本発明では他の任意の文字列がマジックワードになりうる。たとえば「つづきはウェブで」、「つづきはネットで」、「続きはウェブで」、「続きはネットで」、「ネット連動」、「詳細はネットで検索」などをマジックワードにできる。
【００４４】
マジックワードおよび識別記号は、動画コンテンツ内に限らず、コンテンツ再生装置１のメモリ内にあらかじめ記憶されていてもよい。また、あらかじめ設定されているマジックワードは、他の文字列に任意に変更可能である。識別記号も同様である。なお、任意に変更可能とはいえ、ユーザが視聴する字幕に無関係な文字列、またはあまりに長すぎる文字列にしてしまっては、視聴の際にユーザに違和感を与えてしまう。そこで、まずマジックワードは、再生中の動画コンテンツの内容に関連するものが望ましい。たとえばテレビ番組であれば「ＣＭ」をマジックワードとして採用することにより、この文字列が字幕中に表示されてもユーザには何の違和感も与えない。また、識別記号については出来るだけ短い記号、なかでも一文字の記号であることが好ましい。上述した”〔”および”〕”はこれにあたる。このような識別記号であれば、字幕中に含まれていてもユーザに違和感を与えることはない。
【００４５】
（キーワードの識別表示）
図６に示すように、字幕表示部１１は、字幕５２に含まれるキーワードの周囲に識別枠５５を表示する。すなわちキーワードを字幕５２における他の文字と識別して表示する。識別枠５５に囲まれた箇所をユーザは素早く視認するので、ここにキーワードがあることを容易に理解する。なお字幕表示部１１は、キーワードを点滅表示させてもよい。この場合もユーザはキーワードを素早く視認できる。
【００４６】
（キーワードの表示および選択）
図６の例では、表示部１１は、キーワード抽出部１７から受け取ったキーワードをキーワード５３として画面５０ａの右上に表示する（ステップＳ４）。ここでは「シャープに答えて！」という文字列を表示する。表示部１１は、このとき、キーワード５３として表示する情報がキーワードであること明示する言葉を、同時に表示してもよい。たとえば、「キーワード：シャープに答えて！」と表示する。
【００４７】
ユーザは、画面５０ａに選択されたキーワード５３を所定の入力装置を用いて選択できる。操作入力部２０は、表示されたキーワード５３をユーザが選択したか否かを判定する（ステップＳ５）。たとえばユーザが画面５０上のキーワード５３タッチペン（不図示）を用いてをタッチした場合、またはキーワード５３をキーボード（不図示）を用いたキー入力によって選択した場合に、ステップＳ５における判定の結果は「真」となる（ＹＥＳ）。このとき操作入力部２０は、選択されたキーワード５３をリンク取得部１８に出力する。
【００４８】
（ＵＲＩの取得）
リンク取得部１８は、選択されたキーワード５３に基づき、所定の関連情報を取得するためのリンクを取得する（ステップＳ６）。この関連情報は、キーワード５３を字幕５２の一部として含む動画コンテンツに関連する情報である。関連情報は動画コンテンツであってもよいし、ウェブページであってもよい。リンク取得部１８は本実施形態ではリンクとしてＵＲＩ（Ｕｎｉｆｏｒｍ  Ｌｏｃａｔｉｏｎ  Ｉｄｅｎｔｉｆｉｅｒ）を取得する。このＵＲＩは、スポンササーバ４が提供する所定のウェブページの所在位置を示す文字列である。ＵＲＩの取得先は本実施形態ではリンクサーバ３である。
【００４９】
リンク取得部１８によるリンク取得の手順を説明する。リンク取得部１８は、通信部１６を介してリンクサーバ３にリンク取得要求を送信する。このときリンク取得要求と共に、ユーザによって選択されたキーワードを送信する。リンクサーバ３では、リンク取得要求を通信部３１が受信しリンク取得部３２に出力する。
【００５０】
リンク取得部３２は、リンクサーバ３内のリンクテーブル３３からＵＲＩを取得する。リンクテーブル３３には、複数の互いに異なるキーワードと、複数のＵＲＩ（必ずしも互いに異なるとは限らない）とが、互いに個別に関連付けられて格納されている。たとえばＡＡＡというキーワードにはＸＸＸというＵＲＩが関連付けられ、一方、ＢＢＢというキーワードにはＹＹＹというＵＲＩが関連付けられている。複数の異なるキーワードに同じＵＲＩが関連付けられていることもある。
【００５１】
リンク取得部３２は、入力されたキーワードに関連付けられたリンクをリンクテーブル３３から取得する。取得したＵＲＩを通信部３１を介してコンテンツ再生装置１に送信する。コンテンツ再生装置１では、送信されたＵＲＩを通信部１６が受信し関連情報取得部１９に出力する。
【００５２】
（ウェブページの取得）
関連情報取得部１９は、入力されたＵＲＩによって特定されるウェブページを取得する（ステップＳ７）。取得するウェブページは、動画コンテンツ（番組）の内容に関連する。また、番組のスポンサーが自社の商品の購入をユーザに促す情報を含んでいる。
【００５３】
本実施形態では、関連情報取得部１９はウェブページをスポンササーバ４から取得する。取得の手順を次に説明する。関連情報取得部１９は、通信部１６を介してＨＴＴＰリクエストをスポンササーバ４に出力する。このとき少なくともＵＲＩを送信する。スポンササーバ４は、受信したＵＲＩによって特定されるウェブページをコンテンツ再生装置１に送信する。送信されたウェブページをコンテンツ再生装置１の通信部１６が受信し関連情報取得部１９に出力する。こうして関連情報取得部１９はウェブページをスポンササーバ４から取得し関連情報表示部１４に出力する。
【００５４】
関連情報取得部１９は、ＵＲＩに加えて他の情報も同時にスポンササーバ４に送信してもよい。他の情報として、コンテンツ再生装置１が現在再生している動画コンテンツ（番組）に関するコンテンツ情報、動画コンテンツの再生時刻、コンテンツ再生装置１のユーザに関するユーザ情報がある。コンテンツ情報として、動画コンテンツの識別子がある。ユーザ情報として、ユーザがこれまで選択した過去のキーワードがある。
【００５５】
関連情報取得部１９は、ＵＲＩとともにこれらの情報もスポンササーバ４に送信する。スポンササーバ４は、受信した情報を履歴データベース３４に保存する。
【００５６】
（スポンサーのメリット）
スポンササーバ４を有するスポンサーは次の各種利点を得られる。まず、ウェブページ取得のきっかけになったのがどの動画コンテンツにおけるどの場面（ＣＭ、番組本体）がわかる。また、どのようなユーザがどのキーワードを選択し、どのウェブページの取得を選択したかもわかる。すなわちウェブページ（関連情報）に対するユーザの興味および関心の動向を把握できる。
【００５７】
さらに、スポンサーの意図にしたがった情報をユーザに提供する利点もある。具体的にはスポンササーバ４は、受信した情報に基づきコンテンツ再生装置１のユーザに個別に適したウェブページを選択しコンテンツ再生装置１に送信する。この場合コンテンツ再生装置１は、ユーザに適したウェブページを提示するので、ウェブページに対するユーザの閲覧意欲をよりいっそう高めることができる。また、ウェブページを視聴したユーザによる次のアクション（商品購入など）をよりいっそう促すことができる。
【００５８】
（ウェブページの取得：他の手法）
関連情報取得部１９は、キーワード抽出部１７によって抽出されたキーワードを用いた検索処理によっても、動画コンテンツに関連するウェブページを取得できる。この場合、キーワード抽出部１７は抽出したキーワードを関連情報取得部１９に出力する。関連情報取得部１９は、入力されたキーワードを用いて、インターネット上の所定の検索エンジンにクエリを送信し、検索結果を取得する。検索対象はニュースサイトとすることもできるし、辞書サイトとすることもできる。いずれにせよ、関連情報取得部１９は、動画コンテンツに関連する他のコンテンツを、コンテンツ再生装置１の外部から取得する。
【００５９】
（ウェブページの表示）
関連情報表示部１４は、入力されたウェブページを関連情報５４として、画面５０ａの右下領域に表示する（ステップＳ８）。図６の例では、動画コンテンツ（番組）のスポンサーが提供する商品の情報を表示する。ユーザは表示された関連情報５４を閲覧する。閲覧した結果、表示された商品に興味が湧けば「購入ボタン」をクリックして購入する。こうしてユーザは興味の湧いた商品を手軽に購入できて喜ぶ。スポンサーは商品の販売に成功して利益を増やす。
【００６０】
関連情報表示部１４は、関連情報５４がキーワード５３に関連する情報であることをユーザに知らせるための所定の情報を、関連情報５４の周囲（たとえば上部または下部）に表示してもよい。なお、関連情報５４の表示中には表示装置１０に表示される情報が大量になり、ユーザが一度に把握できにくくなる虞がある。そこでコンテンツ再生装置１では、関連情報表示部１４が関連情報５４を表示装置１０に表示しているとき、映像表示部１２は、動画５１の表示速度をより遅くさせてもよい。これによりユーザは、表示装置１０に表示される多数の情報を把握しやすくなる。
【００６１】
コンテンツ再生装置１では、動画コンテンツ内にＵＲＩが含まれていない。また、リンクサーバ３から取得したＵＲＩも、表示装置１０には表示しない。すなわち、関連情報５４の閲覧をユーザに選択するために、画面５０にキーワードに関連するＵＲＩを表示せずにすむ。そのため字幕５２の表示に何らの影響も与えることがないので、画面５０の表示を自然なものとすることができ、結果としてユーザに違和感を与えない。ＵＲＩは一般に長い文字列なので、表示すれば冗長な印象をユーザに与えてしまうが、本発明ではこのような問題は生じない。
【００６２】
（ウェブページの自動表示）
コンテンツ再生装置１は、動画コンテンツに関連するウェブページを自動的に表示してもよい。「自動的な表示」とは、ユーザによるキーワードの選択を介することのない表示のことである。この場合の処理の概要を次に説明する。キーワード抽出部１７は字幕５２からキーワードを抽出し表示部１１およびキーワード抽出部１７に出力する。表示部１１は入力されたキーワードをキーワード５３として画面５０に表示する。リンク取得部１８は入力されたキーワードに関するＵＲＩをリンクサーバ３から取得し関連情報取得部１９に出力する。関連情報取得部１９は、ＵＲＩによって特定されるウェブページをスポンササーバ４から取得し関連情報表示部１４に出力する。関連情報表示部１４は入力されたウェブページを関連情報５４として画面５０に表示する。
【００６３】
以上の処理によれば、ユーザがキーワードを入力する手間どころか、キーワードを選択する手間すらも省けてしまう。したがってユーザによる操作の負担をよりいっそう低減できる。
【００６４】
コンテンツ再生装置１がウェブページを自動的に表示するか否かは、コンテンツ再生装置１においてたとえばフラグの情報としてあらかじめ定められている。または、リンクサーバ３またはスポンササーバ４が決定してもよい。この場合コンテンツ再生装置１は、ウェブページを自動的に表示するか否かを事前にリンクサーバ３またはスポンササーバ４に問い合わせ、その結果に基づき表示のやり方（自動的か否か）を設定する。
【００６５】
（ＵＲＩの取得：他の手法）
リンク取得部１８は、キーワードに関連するリンクを、リンクサーバ３ではなく、動画コンテンツ内からも取得できる。具体的には次の手順を踏む。動画コンテンツの特定領域には、キーワードとＵＲＩと個別に関連付けたデータが格納されている。つまりこのデータはリンクサーバ３のリンクテーブル３３に記憶されているものと同様のものである。リンク取得部１８は、キーワード抽出部１７によって抽出されたキーワードに関連するＵＲＩを、この特定領域から取得する。
【００６６】
以上の手順を踏むことの利点は次のものである。第１に、リンク取得部１８はスポンササーバ４にアクセスしないので、ＵＲＩを安定かつ高速に取得できる。第２に、ＵＲＩは動画コンテンツにおいて字幕の格納領域とは別の領域（ＤＲＣＳなどの特定領域）に格納されているので、字幕の表示に何の影響も与えずに済む。
【００６７】
（特定領域の利用：他の例）
動画コンテンツの特定領域は次の用途にも使える。たとえばＣＭスキップの禁止である。ＣＭスキップとは、番組を再生するときに途中のコマーシャル部分を飛ばす処理のことである。このようなことをやられると、ＣＭを提供するスポンサーにとって不利益となってしまう。この不利益をコンテンツ再生装置１は次のようにして防止する。動画コンテンツの特定領域内に、ＣＭスキップを禁止する部分を示す識別記号が記憶しておく。コンテンツ再生装置１は、受信した番組の特定領域から当該識別記号を特定する。そして番組の字幕を解析する際、字幕内に当該識別記号によって囲まれた部分がある箇所の再生（動画および字幕の表示）を、早送り禁止とする。
【００６８】
特定領域には、所定のクーポン情報を含めておくこともできる。
【００６９】
（画面表示：他の形態）
コンテンツ再生装置１が字幕５２に含まれるキーワードを複数抽出し、画面５０に一覧にして表示する例を次に説明する。図７は、コンテンツ再生装置１が表示装置１０に表示する画面５０ｂを表す図である。画面５０ｂは、動画５１、字幕５２、キーワード５３、関連情報５４、識別枠５５、バナー画像５６、およびキーワードリスト５７を含んでいる。
【００７０】
バナー画像５６は、関連情報５４として表示されるウェブページを提供するスポンサーのロゴマークである。キーワードリスト５７は、キーワードが字幕５２から抽出した複数のキーワードを一覧にして表示したリストである。図７の例では、最新のキーワード（すなわち直近に抽出されたキーワード）が最上位に表示される。ユーザはキーワードリスト５７から任意のキーワードを選択できる。コンテンツ再生装置１は、選択された任意のキーワードに関連するウェブページを取得し、関連情報５４（ここではウェブページ）として画面５０ｂに表示する。
【００７１】
このように、すでに画面５０ａから消えてしまった字幕に含まれているキーワードも、キーワードリスト５７に表示されている。したがってユーザは、過去のキーワードに関連するウェブページもあとで取得し表示できる。
【００７２】
（キーワードの表示制御）
動画コンテンツが番組であるとき、コンテンツ再生装置１は次の処理も可能である。キーワードが番組におけるコマーシャル（ＣＭ）部分に含まれているとする。コンテンツ再生装置１は、ＣＭの表示中にキーワードを画面５０に表示する。さらに、ＣＭに関連するウェブページをスポンササーバ４から取得し画面５０に表示する。ＣＭが終了して番組の再生に戻ったあと、コンテンツ再生装置１は、キーワード５３を表示を完全に消す。または、キーワードが複数あるなら、それぞれをループして順番に表示し続ける。あるいは、最後のキーワードを表示し続ける。
【００７３】
なお、キーワード抽出部１７がキーワードを抽出する対象の字幕は、コマーシャル中のものに限らず、番組本編中のものであってもよい。この場合、コンテンツ再生装置１は、番組本編に関連するウェブページをスポンササーバ４から取得し画面５０に表示する。
【００７４】
（ビジネスモデルの比較）
図８は、動画コンテンツの再生に関する従来のビジネスモデルを説明する図である。図９は、動画コンテンツの再生に関する本発明のビジネスモデルを説明する図である。両図を比べてみると、従来のビジネスモデルに対する本発明のビジネスモデル利点が次のように明らかになる。まず、端末（コンテンツ再生装置１）を提供するメーカは、トラックワードサーバ（リンクサーバ３）を用意することによって、広告スポンサから広告収入（アフィリエイト収入）を得る。携帯キャリアは電子マネーによる決済をユーザに促すことによって、通信費およびサービス費用をより多く得られる。
【００７５】
〔実施形態２〕
本発明に係る第２の実施形態について、図１０および図１１を参照して以下に説明する。なお、上述した第１の実施形態と共通する各部材には同じ符号を付し、詳細な説明を省略する。
【００７６】
（コンテンツ再生システム１００ａ）
図１０は、本発明の一実施形態に係るコンテンツ再生システム１００ａの要部構成を示すブロック図である。この図に示すようにコンテンツ再生システム１００ａは、コンテンツ再生装置１ａおよび携帯端末装置５ａを含んでいる。なお、特に図示はしないが、さらに放送局２、リンクサーバ３、およびスポンササーバ４も含んでいる。
【００７７】
この図に示すように、コンテンツ再生装置１ａは、表示装置１０、表示部１１、字幕表示部１２、映像表示部１３、関連情報表示部１４、放送受信部１５、通信部１６、キーワード抽出部１７、リンク取得部１８、関連情報取得部１９、操作入力部２０、コンテンツデータベース２１、およびユーザデータベース２２を備えている。また、携帯端末装置５ａは、表示装置２３、通信部２４、表示部２５、および操作入力部２６を含んでいる。
【００７８】
（表示画面の一例）
図１１（ａ）は、コンテンツ再生装置１が表示装置１０に表示する画面５０ｃを表す図であり、図１１（ｂ）は、携帯端末装置５ａが表示装置２３に表示する画面６０を表す図である。画面５０ｃは、動画５１、字幕５２、関連情報５４、および識別枠５５を含んでいる。画面６０はキーワード５３を含んでいる。
【００７９】
コンテンツ再生システム１００ａでは、キーワードの表示を携帯端末装置５ａが担当する。ユーザは手元において携帯端末装置５ａを操作する。一方、コンテンツ再生装置１ａはユーザから離れた位置にあり、ユーザは一定の距離をおいて、コンテンツ再生装置１ａの表示装置１０に表示される情報を視聴する。
【００８０】
すなわちコンテンツ再生システム１００ａにおいて、ユーザは、コンテンツ再生装置１ａの表示装置１０において、動画５１および字幕５２を視聴しつつ、さらに動画コンテンツに関連する関連情報５４を視聴する。一方、手元にある携帯端末装置５ａの表示装置２３に表示されるキーワード５３を閲覧する。
【００８１】
動画コンテンツを受信し、キーワード抽出部１７に出力する。キーワードを抽出し、通信部１６を通じて携帯端末装置５ａに送信する。送信されたキーワードを通信部２４が受信し、表示部２５に出力する。表示部２５は、入力されたキーワードをキーワード５３として画面６０に表示する。
【００８２】
ユーザは、表示されたキーワード５３を、操作入力部２６を通じて選択する。通信部１６は、選択されたキーワードをコンテンツ再生装置１ａに出力する。送信されたキーワードを通信部１６が受信し、リンク取得部１８に出力する。リンク取得部１８は、入力されたキーワードに関連するユーザを、リンクサーバ３から取得する。その後の処理はコンテンツ再生システム１００におけるコンテンツ再生装置１と同様であるため詳細を省略する。
【００８３】
以上のように、コンテンツ再生システム１００ａの構成では、コンテンツ再生装置１ａにおける処理の負担が重く、携帯端末装置５ａの方は軽い。
【００８４】
〔実施形態３〕
本発明に係る第３の実施形態について、図１０および図１１を参照して以下に説明する。なお、上述した第２の実施形態と共通する各部材には同じ符号を付し、詳細な説明を省略する。
【００８５】
（コンテンツ再生システム１００ｂ）
図１２は、本発明の一実施形態に係るコンテンツ再生システム１００ｂの要部構成を示すブロック図である。この図に示すようにコンテンツ再生システム１００ｂは、コンテンツ再生装置１ｂおよび携帯端末装置５ｂを含んでいる。なお、特に図示はしないが、さらに放送局２、リンクサーバ３、およびスポンササーバ４も含んでいる。
【００８６】
この図に示すように、コンテンツ再生装置１ｂは、表示装置１０、字幕表示部１２、映像表示部１３、放送受信部１５、通信部１６、操作入力部２０、およびコンテンツデータベース２１を備えている。また、携帯端末装置５ａは、関連情報表示部１４、キーワード抽出部１７、リンク取得部１８、ユーザデータベース２２、関連情報取得部１９、表示装置２３、通信部２４、表示部２５、および操作入力部２６を含んでいる。
【００８７】
コンテンツ再生システム１００ａの構成では、コンテンツ再生装置１ａにおける処理の負担と、携帯端末装置５ａにおける処理の負担とは同程度である。
【００８８】
（表示画面の一例）
図１３（ａ）は、コンテンツ再生装置１ｂが表示装置１０に表示する画面５０ｄを表す図であり、図１４（ｂ）は、携帯端末装置５ｂが表示装置２３に表示する画面６０ａを表す図である。画面５０ｄは、動画５１、字幕５２、および識別枠５５を含んでいる。画面６０ｂはキーワード５３および関連情報５４を含んでいる。
【００８９】
コンテンツ再生システム１００ａでは、キーワード５３および関連情報５４の表示を携帯端末装置５ａが担当する。ユーザは手元において携帯端末装置５ａを操作する。コンテンツ再生装置１ａはユーザから離れた位置にあり、ユーザは一定の距離をおいてコンテンツ再生装置１ｂを操作する。
【００９０】
コンテンツ再生システム１００ｂにおいて、ユーザは、コンテンツ再生装置１ａの表示装置１０に表示される動画５１および字幕５２を視聴する。一方、携帯端末装置５ｂの表示装置２３に表示されるキーワード５３および関連情報５４を視聴する。
【００９１】
（連携処理）
コンテンツ再生システム１００ｂにおける処理の流れを次に出力する。まず放送受信部１５は、放送局２から放送される動画コンテンツを受信する。放送受信部１５は受信した動画コンテンツを字幕表示部１１および映像表示部１２に出力する。字幕表示部１１は動画コンテンツに含まれる字幕を字幕５２として画面５０ｄに表示する。映像表示部１２は動画コンテンツに含まれる映像を動画５１として画面５０ｄに表示する。
【００９２】
放送受信部１５は、受信した動画コンテンツから字幕を抽出し、通信部１６を通じて携帯端末装置５ｂに出力する。送信された字幕を通信部２４が受信しキーワード抽出部１７に出力する。キーワード抽出部１７は字幕からキーワードを抽出し、関連情報表示部１４およびリンク取得部１８に出力する。関連情報表示部１４は、入力されたキーワードをキーワード５３として画面６０に表示する。
【００９３】
また、キーワード抽出部１７は抽出したキーワードを、通信部２４を通じてコンテンツ再生装置１ｂに送信する。送信されたキーワードを携帯端末装置５ｂが受信し、字幕表示部１１に出力する。字幕表示部１１は、表示する字幕５２のうちキーワードの周囲に識別枠５５を表示する。
【００９４】
携帯端末装置５ｂのユーザは、画面６０ａに表示されたキーワード５３を、操作入力部２６を通じて選択する。操作入力部２０は選択されたキーワードをリンク取得部１８に出力する。リンク取得部１８は入力されたキーワードに関連するリンクをリンクサーバ３から取得し、リンクを関連情報取得部１９に出力する。関連情報取得部１９は、入力されたリンクによって特定されたウェブページをスポンササーバ４から取得し、関連情報表示部１４に出力する。関連情報表示部１４は入力されたウェブページを画面６０ｂに表示する。
【００９５】
〔実施形態４〕
本発明に係る第４の実施形態について、図１４および図１５を参照して以下に説明する。なお、上述した第１〜第３の実施形態と共通する各部材には同じ符号を付し、詳細な説明を省略する。
【００９６】
（コンテンツ再生システム１００ｃ）
図１４は、本発明の一実施形態に係るコンテンツ再生システム１００ｃの要部構成を示すブロック図である。この図に示すようにコンテンツ再生システム１００ｃは、コンテンツ再生装置１ｃおよび携帯端末装置５ｃを含んでいる。なお、特に図示はしないが、さらに放送局２、リンクサーバ３、およびスポンササーバ４も含んでいる。
【００９７】
この図に示すように、コンテンツ再生装置１ｃは、表示装置１０、放送受信部１５、通信部１６、操作入力部２０、およびコンテンツデータベース２１を備えている。また、携帯端末装置５ａは、字幕表示部１１、キーワード抽出部１７、リンク取得部１８、ユーザデータベース２２、関連情報取得部１９表示装置２３、通信部２４、表示部２５、および操作入力部２６を含んでいる。
【００９８】
コンテンツ再生システム１００ａの構成では、携帯端末装置５ａにおける処理の負担を可能な限り大きくしている。
【００９９】
（表示画面の一例）
図１５（ａ）は、コンテンツ再生装置１ｃが表示装置１０に表示する画面５０ｅを表す図であり、図１５（ｂ）は、携帯端末装置５ｃが表示装置２３に表示する画面６０ｂを表す図である。画面５０ｅは動画５１を含んでいる。画面６０ｂは、字幕５２、キーワード５３、関連情報５４、および識別枠５５を含んでいる。
【０１００】
コンテンツ再生システム１００ａでは、字幕５２、キーワード５３、および関連情報５４の表示を携帯端末装置５ａが担当する。ユーザは手元において携帯端末装置５ａを操作する。コンテンツ再生装置１ａはユーザから離れた位置にあり、ユーザは一定の距離をおいてコンテンツ再生装置１ｂを操作する。
【０１０１】
コンテンツ再生システム１００ｂにおいて、ユーザは、コンテンツ再生装置１ａの表示装置１０に表示される動画５１を視聴する。一方、携帯端末装置５ｂの表示装置２３に表示される字幕５２、キーワード５３および関連情報５４も視聴する。
【０１０２】
（連携処理）
コンテンツ再生システム１００ｂにおける処理の流れを次に出力する。まず放送受信部１５は、放送局２から放送される動画コンテンツを受信する。放送受信部１５は受信した動画コンテンツを映像表示部１２に出力する。映像表示部１２は動画コンテンツに含まれる映像を動画５１として画面５０ｄに表示する。
【０１０３】
放送受信部１５は、受信した動画コンテンツから字幕を抽出し、通信部１６を通じて携帯端末装置５ｂに出力する。送信された字幕を通信部２４が受信し、字幕表示部１１およびキーワード抽出部１７に出力する。字幕表示部１１は動画コンテンツに含まれる字幕を字幕５２として画面５０ｄの最上段に表示する。キーワード抽出部１７は字幕からキーワードを抽出し、関連情報表示部１４およびリンク取得部１８に出力する。表示部２５は、入力されたキーワードをキーワード５３として画面６０ｂにおける字幕５２の下に表示する。
【０１０４】
また、キーワード抽出部１７は抽出したキーワードを字幕表示部１１に出力する。字幕表示部１１は、表示する字幕５２のうちキーワードの周囲に識別枠５５を表示する。
【０１０５】
携帯端末装置５ｂのユーザは、画面６０ａに表示されたキーワード５３を、操作入力部２６を通じて選択する。操作入力部２０は選択されたキーワードをリンク取得部１８に出力する。リンク取得部１８は入力されたキーワードに関連するリンクをリンクサーバ３から取得し、リンクを関連情報取得部１９に出力する。関連情報取得部１９は、入力されたリンクによって特定されたウェブページをスポンササーバ４から取得し、関連情報表示部１４に出力する。関連情報表示部１４は入力されたウェブページを画面６０ｂにおけるキーワードの下に表示する。
【０１０６】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１０７】
たとえば動画コンテンツに含まれる文字情報は上述した字幕に限らず、たとえばメタデータであってもよい。
【０１０８】
（プログラムおよび記録媒体）
最後に、コンテンツ再生装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０９】
すなわちコンテンツ再生装置１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１１０】
この記録媒体は、上述した機能を実現するソフトウェアであるコンテンツ再生装置１のプログラムのプログラムコード（実行形式プログラム、中間コードプログラム、ソースプログラム）をコンピュータで読み取り可能に記録していればよい。コンテンツ再生装置１に、この記録媒体を供給する。これにより、コンピュータとしてのコンテンツ再生装置１（またはＣＰＵやＭＰＵ）が、供給された記録媒体に記録されているプログラムコードを読み出し、実行すればよい。
【０１１１】
プログラムコードをコンテンツ再生装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１１２】
また、コンテンツ再生装置１を通信ネットワークと接続可能に構成しても、本発明の目的を達成できる。この場合、上記のプログラムコードを、通信ネットワークを介してコンテンツ再生装置１に供給する。この通信ネットワークはコンテンツ再生装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１３】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１１４】
本発明は、字幕と映像とが再生時刻ごとに互いに関連付けられた構造の動画コンテンツ（たとえば放送番組）を再生するコンテンツ再生装置として、幅広く利用できる。
【図面の簡単な説明】
【０１１５】
【図１】本発明の一実施形態に係るコンテンツ再生装置の要部構成を示すブロック図である。
【図２】本発明の一実施形態に係るコンテンツ再生システムの要部構成を示すブロック図である。
【図３】本発明の一実施形態に係るリンクサーバの要部構成を示すブロック図である。
【図４】動画コンテンツの再生時にコンテンツ再生装置が表示装置に表示する画面を表す図である。
【図５】コンテンツ再生装置が動画コンテンツを再生するときにおける処理の流れを表すフローチャートである。
【図６】コンテンツ再生装置が表示装置に表示する画面を表す図である。
【図７】コンテンツ再生装置が表示装置に表示する画面を表す図である。
【図８】動画コンテンツの再生に関する従来のビジネスモデルを説明する図である。
【図９】動画コンテンツの再生に関する本発明のビジネスモデルを説明する図である。
【図１０】本発明の一実施形態に係るコンテンツ再生システムの要部構成を示すブロック図である。
【図１１】（ａ）は、コンテンツ再生装置が表示装置に表示する画面を表す図であり、（ｂ）は、携帯端末装置が表示装置に表示する画面を表す図である。
【図１２】本発明の一実施形態に係るコンテンツ再生システムの要部構成を示すブロック図である。
【図１３】（ａ）は、コンテンツ再生装置が表示装置に表示する画面を表す図であり、（ｂ）は、携帯端末装置が表示装置に表示する画面を表す図である。
【図１４】本発明の一実施形態に係るコンテンツ再生システムの要部構成を示すブロック図である。
【図１５】（ａ）は、コンテンツ再生装置が表示装置に表示する画面を表す図であり、（ｂ）は、携帯端末装置が表示装置に表示する画面を表す図である。
【符号の説明】
【０１１６】
１  コンテンツ再生装置
２  放送局
３  リンクサーバ
４  スポンササーバ
５  携帯端末装置（端末装置）
１０  表示装置
１１  表示部（表示手段、キーワード表示手段）
１２  字幕表示部（文字情報表示手段）
１３  映像表示部（映像表示手段）
１４  関連情報表示部（表示手段）
１５  放送受信部
１６  通信部（送信手段、受信手段）
１７  キーワード抽出部（キーワード抽出手段）
１８  リンク取得部
１９  関連情報取得部（関連情報取得手段）
２０  操作入力部（操作入力手段）
２１  コンテンツデータベース
２２  ユーザデータベース
２３  表示装置
２４  通信部（送信手段、受信手段）
２５  表示部（表示手段、キーワード表示手段）
２６  操作入力部
３１  通信部
３２  リンク取得部
３３  リンクテーブル
３４  履歴データベース
【図１】
0005143592.tif 000002
【図２】
0005143592.tif 000003
【図３】
0005143592.tif 000004
【図４】
0005143592.tif 000005
【図５】
0005143592.tif 000006
【図６】
0005143592.tif 000007
【図７】
0005143592.tif 000008
【図８】
0005143592.tif 000009
【図９】
0005143592.tif 000010
【図１０】
0005143592.tif 000011
【図１１】
0005143592.tif 000012
【図１２】
0005143592.tif 000013
【図１３】
0005143592.tif 000014
【図１４】
0005143592.tif 000015
【図１５】
0005143592.tif 000016